(57)【特許請求の範囲】
【請求項１】
表示部と、
制御プログラムに応じて各種の制御を行なうプロセッサを有するコンピュータと、
前記コンピュータが、１又は２以上の室内にそれぞれ設置されて温度センサ本体が測定した温度データを無線送信する複数個の温度センサから送信された温度データを受信する処理と、前記１又は２以上の室内にそれぞれ設置されて予め設定されている温度データと受信した温度データとの比較結果に応じて空調機本体のオン・オフ制御を実行する複数個の空調機に前記受信した温度データを送信する処理と、前記空調機から送信された当該空調機の運転状態のデータを受信する処理と、を実行する手段と、
前記プロセッサが、いずれの前記温度センサで検出された温度データをどの前記空調機に配信するかを設定する手段と、
前記プロセッサが、前記設定に応じて前記温度センサから送信された温度データをどの空調機に配信するかを決定する配信決定手段と、
前記プロセッサが、前記受信した前記空調機の運転状態のデータに基づいて、全ての前記空調機の運転状態を前記表示部に表示させる表示手段と、
前記プロセッサが、選択操作部の操作入力に基づいていずれかの前記空調機を選択する選択手段と、
前記プロセッサが、前記選択手段により選択された前記空調機をオン・オフさせるオン・オフ制御手段と、
を有する空調機の集中管理装置。
【発明の詳細な説明】
【０００１】
【発明の属する技術分野】
本発明は、１つの室内に設置された複数個の空調機を集中して管理する空調機の集中管理装置に関する。
【０００２】
【従来の技術】
従来、１つの室内に複数個の空調機を設置し、それらの複数個の空調機を１つの管理装置で管理するようにした空調管理システムが提案されており、例えば、特開平６−２６５１９１号公報に記載されている。
【０００３】
上述した公報に記載された空調管理システムによれば、複数の空調機や温度センサがいくつかのブロックに分けられており、各ブロックごとに、そのブロック内の空調機の運転状態が表示される表示部（ローカル集中管理用リモコン）、そのブロック内の空調機の運転状態をオン・オフさせる操作部（手元リモコン）が設けられている。
【０００４】
【発明が解決しようとする課題】
したがって、各空調機の運転状態を監視するためには、各ブロックごとに設けられた表示部の設置場所まででかけていかなければならず、或る一箇所にいながら全ての空調機の運転状態を監視することはできない。
【０００５】
また、必要に応じて任意の空調機をオン・オフさせる場合には、各ブロックごとに設けられている操作部の設置場所まででかけていかなければならず、或る一箇所にいながら特定の空調機を選択的にオン・オフさせることはできない。
【０００６】
このため、或る一箇所にいながら全ての空調機の運転状態を監視し、必要に応じていずれかの空調機を選択的にオン・オフさせ、きめ細かい空調を行うことができない。
【０００７】
本発明の目的は、集中管理装置が設置されている或る一箇所にいながら、全ての空調機の運転状態を監視し、さらに、その一箇所にいながら必要に応じていずれかの空調機を選択的にオン・オフさせ、きめ細かい空調を行うことができる空調機の集中管理装置を提供することである。
【０００８】
本発明の別の目的は、温度センサとの接続を安価な構造することができるとともに温度センサの設置場所の変更を容易に行うことができる空調機の集中管理装置を提供することである。
【０００９】
本発明の別の目的は、使用する温度センサの数を空調機の数よりも減らし、少ない数の温度センサにより多くの数の空調機を制御することができる空調機の集中管理装置を提供することである。
【００１０】
【課題を解決するための手段】
本発明は、表示部と、制御プログラムに応じて各種の制御を行なうプロセッサを有するコンピュータと、前記コンピュータが、１又は２以上の室内にそれぞれ設置されて温度センサ本体が測定した温度データを無線送信する複数個の温度センサから送信された温度データを受信する処理と、前記１又は２以上の室内にそれぞれ設置されて予め設定されている温度データと受信した温度データとの比較結果に応じて空調機本体のオン・オフ制御を実行する複数個の空調機に前記受信した温度データを送信する処理と、前記空調機から送信された当該空調機の運転状態のデータを受信する処理と、を実行する手段と、前記プロセッサが、いずれの前記温度センサで検出された温度データをどの前記空調機に配信するかを設定する手段と、前記プロセッサが、前記設定に応じて前記温度センサから送信された温度データをどの空調機に配信するかを決定する配信決定手段と、前記プロセッサが、前記受信した前記空調機の運転状態のデータに基づいて、全ての前記空調機の運転状態を前記表示部に表示させる表示手段と、前記プロセッサが、選択操作部の操作入力に基づいていずれかの前記空調機を選択する選択手段と、前記プロセッサが、前記選択手段により選択された前記空調機をオン・オフさせるオン・オフ制御手段と、を有する。
【００１１】
したがって、全ての空調機の運転状態が集中管理装置の表示部に表示されるので、オペレータは集中管理装置の設置場所にいながら全ての空調機の運転状態を監視することができる。さらに、オペレータは集中管理装置の設置場所にいながら、選択操作部の操作により任意の空調機を選択的にオン・オフすることができる。
【００１３】
また、温度センサとの間に配線工事を行う必要がなく、温度センサとの間の接続が安価な構造となる。さらに、温度センサを温度測定に最も適した場所に設置することや、温度センサの設置場所の変更が容易になる。
【００１５】
さらに、使用する温度センサの数を空調機の数よりも減らし、少ない数の温度センサにより多くの数の空調機を制御することができる。
【００１６】
【発明の実施の形態】
本発明の一実施の形態を図面に基づいて説明する。図１は、空調機集中管理システムを示すブロック図である。この空調機集中管理システムが適用される室内である工場内には、複数個（例えば、１５個）の空調機１が設置されている。各空調機１は、それぞれ温風や冷風の吹き出し等が行われる空調機本体２と、各空調機１のオン・オフの温度設定や後述する集中管理装置との間でデータの送受信を行う空調機制御部３とからなり、これらの空調機１が集中管理装置であるパーソナルコンピュータ（以下、ＰＣと略す）４に接続されている。ＰＣ４は工場内の或る一箇所に設置されている。
【００１７】
また、工場内には複数個（例えば、３個）の温度センサ５が設置されている。各温度センサ５は、温度の測定を行う温度センサ本体６と、測定した温度をＡ／Ｄ変換等する温度監視制御部７とからなり、各温度センサ５にはＡ／Ｄ変換された温度データを集中管理装置４へ送信するための無線機８が接続されている。集中管理装置４には、無線機８から送信された温度データを受信するための無線機９が接続されている。
【００１８】
図２は、ＰＣ４の構成を示すブロック図である。このＰＣ４は、制御プログラムに応じて各種の制御を行うＣＰＵ１０を有し、このＣＰＵ１０に対し、制御プログラム等の固定データが格納されたＲＯＭ１１、温度センサ５から送信された温度データや空調機１から送信された各空調機１の運転状態のデータ等の可変データが記憶されるＲＡＭ１２、可変データのうち継続して記憶しておく必要がある各種のデータを記憶するＥＥＰＲＯＭ１３、温度データや運転状態のデータ等の各種のデータが入出力されるＩ／Ｏ１４、空調機１から送信された各空調機１の運転状態が表示される表示部１５、このＰＣ４からの操作によりオン・オフさせる空調機１を選択する選択操作部であるマウス１６等が接続されている。
【００１９】
また、このＰＣ４には、制御プログラムに基づいてＣＰＵ１０が実行する機能として、表示手段、選択手段、オン・オフ制御手段、配信決定手段が設けられている。表示手段は、各空調機１から送信された各空調機１の運転状態の内容を表示部１５に表示させる機能である。選択手段は、ＰＣ４からの操作によりオン・オフさせようとするいずれかの空調機１をマウス１６の操作入力に基づいて選択する機能である。オン・オフ制御手段は、マウス１６の操作入力により選択された空調機１をオン・オフさせる機能である。配信決定手段は、或る温度センサ５で検出された温度データをどの空調機１に配信するかを決定する機能である。
【００２０】
図３は、空調機制御部３の構成を示すブロック図である。この空調機制御部３は、制御プログラムに応じて各種の制御を行うＣＰＵ１７を有し、このＣＰＵ１７に対し、制御プログラム等の固定データが格納されたＲＯＭ１８、空調機１の運転状態のデータや空調機１をオン・オフさせる設定温度や、ＰＣ４から配信された温度センサ５からの温度データ等の可変データが記憶されるＲＡＭ１９、可変データのうち継続して記憶しておく必要があるデータ、例えば、空調機１の通算の運転時間などを記憶するＥＥＰＲＯＭ２０、空調機本体２やＰＣ４との間で各種のデータが入出力されるＩ／Ｏ２１、空調機１をオン・オフさせる温度を設定する設定部２２等が接続されている。
【００２１】
図４は、温度監視制御部７の構成を示すブロック図である。この温度監視制御部７は制御プログラムに応じて各種の制御を行うＣＰＵ２３を有し、このＣＰＵ２３に対し、制御プログラム等の固定データが格納されたＲＯＭ２４、温度センサ本体６で検出された後にＡ／Ｄ変換された温度データ等の可変データが記憶されるＲＡＭ２５、通信設定等の継続的に記憶しておく必要がある各種のデータを記憶するＥＥＰＲＯＭ２６、温度センサ本体６と無線機８とに間で温度データが入出力されるＩ／Ｏ２７等が接続されている。
【００２２】
図５は、ＰＣ４の表示部１５に表示された各空調機１の運転状態の内容である。
【００２３】
このような構成において、この空調機集中管理システムでは、１５個の空調機１が工場内の空調場所として適当な場所に設置され、３個の温度センサ５が工場内の温度測定場所として適当な場所に設置されている。そして、各空調機１がオン・オフされる温度が各空調機１の空調機制御部３において設定され、さらに、いずれの温度センサ５で検出された温度データをどの空調機１に配信するかがＰＣ４で設定され、その後に空調機１の運転が開始される。
【００２４】
空調機１の運転が開始されると、温度センサ５で検出された温度データは無線機８，９を介してＰＣ４に送信され、送信された温度データはいずれかの空調機１に配信され、ここに、ＰＣ４におけるＣＰＵ１０の機能である配信決定手段が実行される。具体的には、第１番目の温度センサ（ルームサーモＲＳ１）５から送信されたの温度データがＮｏ１〜Ｎｏ５の空調機１へ配信され、第２番目の温度センサ（ルームサーモＲＳ２）５から送信された温度データがＮｏ６〜Ｎｏ１０の空調機１へ配信され、第３番目の温度センサ（ルームサーモＲＳ３）から送信された温度データがＮｏ１１〜Ｎｏ１５の空調機１へ配信される（図５参照）。
【００２５】
ＰＣ４から各空調機１への温度データの送信は、各空調機１の空調機制御部３ごとにＩＤを持たせ、ＰＣ４から送信する温度データにＩＤを付加し、各空調機制御部３より応答を得るポーリング／セレクティング方式により行う。
【００２６】
そして、各空調機１へ配信された温度データと、各空調機１の空調機制御部３において予め設定さているオン・オフの温度とが比較され、その比較結果に応じて各空調機１が自動的にオン・オフされ、工場内の空調が行われる。
【００２７】
また、各空調機１の運転状態は図５に示すようにＰＣ４の表示部１５に表示され、ここに、ＰＣ４におけるＣＰＵ１０の機能である表示手段が実行される。このため、オペレータはＰＣ４の設置場所にいながら全ての空調機１の運転状態を監視することができる。そして、いずれかの空調機１において運転状態の異常が発生した場合、又は、いずれかの空調機１を強制的にオン・オフさせたい場合には、オペレータはＰＣ４の設置場所にいてマウス１６を操作することにより任意の空調機１を選択し、その空調機１をオン・オフすることができ、ここに、ＰＣ４におけるＣＰＵ１０の機能である選択手段及びオン・オフ制御手段が実行される。
【００２８】
温度センサ５からＰＣ４への温度データの送信は、無線機８，９を介して行われるため、温度センサ５とＰＣ４との間に配線工事を行う必要がなく、ＰＣ４と温度センサ５との間の接続が安価な構造となる。さらに、工場内の生産設備のレイアウトを変更した場合等には、それに応じて温度センサ５の設置場所を温度測定に最も適した位置に容易に変更することができる。
【００２９】
また、本実施の形態では、一つの温度センサ５から送信された温度データを複数の空調機１へ配信するようにしたので、温度センサ５の数を空調機１の数より減らすことができ、空調機集中管理システムのコストダウンを図ることができる。
【００３０】
【発明の効果】
本発明の空調機の集中管理装置によれば、全ての空調機の運転状態が表示部に表示されるので、オペレータは集中管理装置の設置場所にいながら全ての空調機の運転状態を監視することができ、さらに、オペレータは集中管理装置の設置場所にいながら選択操作部の操作により任意の空調機を選択的にオン・オフすることができるので、異常が発生した空調機のメンテナンスを速やかに行うことができ、また、必要に応じたきめ細かい空調を行うことができる。
【００３１】
また、温度センサとの接続が無線機により行われているので、温度センサとの間に配線工事を行う必要がなく、温度センサとの間の接続を安価な構造とすることができ、さらに、温度センサを温度測定に最も適した場所に設置することや、温度センサの設置場所の変更を容易に行うことができる。
【００３２】
更に、温度センサから送信された温度データをどの空調機に配信するかを決定する配信決定手段を有するので、使用する温度センサの数を空調機の数よりも減らすことができ、少ない数の温度センサにより多くの数の空調機を制御することができる。
【図面の簡単な説明】
【図１】本発明の一実施の形態の空調機集中管理システムを示すブロック図である。
【図２】ＰＣの構成を示すブロック図である。
【図３】空調機制御装置の構成を示すブロック図である。
【図４】温度監視制御装置の構成を示すブロック図である。
【図５】ＰＣの表示部に表示された各空調機の運転状態の内容を示す説明図である。
【符号の説明】
１      空調機
４      集中管理装置
５      温度センサ
９      無線機
１５      表示部
１６      選択操作部
【図１】
0003985992.tif 000002
【図２】
0003985992.tif 000003
【図３】
0003985992.tif 000004
【図４】
0003985992.tif 000005
【図５】
0003985992.tif 000006